(57)【特許請求の範囲】
【請求項１】
縦方向及びそれに直交する横方向を有し、肌対向面及び非肌対向面と、前ウエスト域と、後ウエスト域と、前記前後ウエスト域間に位置するクロッチ域と、前記前後ウエスト域を形成する環状の弾性ウエストパネルと、前記弾性ウエストパネルに取り付けられた吸収性シャーシとを含む使い捨て着用物品において、
前記吸収性シャーシは、吸収性コアと、前記吸収性コアの両側縁の前記横方向の外方において前記縦方向へ延びるサイドフラップとを含み、
前記サイドフラップには、前記縦方向へ延びる複数条のレッグ弾性体が配設されており、
前記レッグ弾性体は、前記サイドフラップに固定されており、
前記サイドフラップにおける前記弾性ウエストパネルとの交差部には、前記弾性ウエストパネルに固定された固定部位と、前記固定部位の前記横方向の外方に位置する、前記弾性ウエストパネルに固定されていない自由部位とが形成されており、
前記レッグ弾性体どうしの前記横方向における離間寸法と前記吸収性コアの側縁と前記レッグ弾性体のうちの最も内側に位置する弾性体との前記横方向における離間寸法とは、約３．０〜１０．０ｍｍの範囲内において互いに同じ大きさであって、前記サイドフラップの前記レッグ弾性体どうしの前記横方向における離間部位には、９〜２０個／５０ｍｍの横皺が形成されることを特徴とする着用物品。
【請求項２】
前記レッグ弾性体は、伸長倍率が約２．６〜３．５倍、太さが約４８０〜１０３０ｄｔｅｘの弾性糸から形成されている請求項１に記載の着用物品。
【請求項３】
前記サイドフラップの前記横方向における長さ寸法は約１０．０〜３５．０ｍｍである請求項１に記載の着用物品。
【請求項４】
前記レッグ弾性体どうしの前記横方向における離間部位は、前記サイドフラップの前記固定部位に位置する内方離間部位と、前記サイドフラップの前記自由部位に位置する外方離間部位とを含む請求項１に記載の着用物品。
【請求項５】
前記前後ウエスト域において、前記横方向に収縮可能な伸縮域が形成されており、前記伸縮域には、前記横方向へ延びるストリング状又はストランド状の複数条のウエスト弾性体が配置されており、前記ウエスト弾性体の一部と前記レッグ弾性体とが交差している請求項１に記載の着用物品。
【請求項６】
前記前後ウエスト域の前記伸縮域の中央部における前記吸収性コアと対向する位置には前後非伸縮域が形成されており、前記後非伸縮域の前記横方向における長さ寸法が前記前非伸縮域の前記横方向における長さ寸法よりも大きい請求項５に記載の着用物品。
【請求項７】
前記伸縮域のうちの前記サイドフラップの前記交差部と交差する領域の所定幅における伸長応力が、前記交差部の前記レッグ弾性体が配置された部位の所定幅における伸長応力よりも高い請求項５に記載の着用物品。
【請求項８】
前記レッグ弾性体は、前記レッグ弾性体の長さ方向において、約５．０ｍｍ以下の間隔を空けて前記サイドフラップに固定されている請求項１に記載の着用物品。
【請求項９】
前記レッグ弾性体は、前記レッグ弾性体の長さ方向において連続的に前記サイドフラップに固定されている請求項１に記載の着用物品。
【請求項１０】
前記サイドフラップを形成する被覆シートの両側部の一部が、前記吸収性シャーシ上において内方へ折り返されて形成された、前記縦方向へ延びる一対のスリーブをさらに有し、前記スリーブには前記縦方向へ延びるカフ弾性体が配置されており、前記レッグ弾性体のうちの前記横方向において最も内側に位置する弾性体は、前記サイドフラップに位置する前記スリーブの固定部の真下にある請求項１〜９のいずれかに記載の着用物品。
【発明の詳細な説明】
【技術分野】
【０００１】
本発明は、使い捨て着用物品に関し、より詳しくは、サイドフラップに複数条のレッグ弾性体が配置された使い捨ておむつ、使い捨てのトイレット・トレーニングパンツ、使い捨て失禁パンツ、使い捨ての生理用パンツ等の使い捨て着用物品に関する。
【背景技術】
【０００２】
従来、レッグ開口縁部に沿ってレッグ弾性体が配設された使い捨て着用物品は公知である。例えば、特許文献１には、着用物品の外形をなすシャーシと、シャーシを形成する内外面シートに介在する吸収性コアと、シャーシのクロッチ域から前後ウエスト域まで湾曲状に延びるレッグ弾性体とを有する使い捨て着用物品が開示されている。また、特許文献２には、弾性ウエストパネルと、弾性ウエストパネルに取り付けられた吸収性シャーシとを有し、吸収性シャーシにはレッグ開口縁部に沿って着用物品の縦方向へ直状に延びるレッグ弾性体が配設された着用物品が開示されている。
【先行技術文献】
【特許文献】
【０００３】
【特許文献１】特開２００２−１０２２７８号公報
【特許文献２】特表２００６−５２５８５８号公報
【発明の概要】
【発明が解決しようとする課題】
【０００４】
特許文献１に開示の着用物品によれば、クロッチ域から前後ウエスト域まで延びるレッグ弾性体の伸長応力によってレッグ開口縁部のみならず前後ウエスト域の一部を着用者の身体にフィットさせることができる。一方、特許文献２に開示の着用物品によれば、弾性ウエストパネルがウエスト回り方向へ伸長されることによって前後ウエスト域が着用者の胴回りにフィットするとともに、吸収性シャーシが着用物品の縦方向に伸長されることによって、レッグ開口縁部を着用者の大腿部にフィットさせることができる。
【０００５】
しかし、特許文献１に開示の着用物品においては、吸収性コアが吸収性シャーシの内部に固定されており、かつ、ウエスト開口縁部を除き前後ウエスト域は伸縮性を有するものでないから、吸収性コアが体液を吸収して下方へずれ下がったときに、それを上方に引き上げようとしても、吸収性コアを所要の位置に引き上げることができず、着用者の鼠径部からレッグ開口縁部が離間して、体液の横漏れを生じるおそれがある。
【０００６】
一方、特許文献２に開示の着用物品においては、着用状態において、弾性ウエストパネルのウエスト弾性体がウエスト回り方向に伸長され、それと交差する吸収性シャーシのサイドフラップに配設されたレッグ弾性体が伸長されることによって、吸収性コアが体液を吸収しても吸収性シャーシが大きくずれ下がることはない。しかし、レッグ弾性体は直状を有するので、サイドフラップから形成されたレッグ開口縁部を曲状を有する着用者の大腿部や鼠径部に沿わせてフィットさせることはできない。その結果、サイドフラップが着用者の鼠径部間に挟まれて変形して、体液の横漏れを誘発したり、また、吸収性シャーシの位置ずれを生じるおそれがある。
【０００７】
そこで、本発明は、レッグ開口縁部を着用者の身体に確実にフィットさせることによって、吸収性コアの位置ずれと体液の横漏れとを防止することのできる使い捨て着用物品の提供を課題とする。
【課題を解決するための手段】
【０００８】
本発明は、縦方向及びそれに直交する横方向を有し、肌対向面及び非肌対向面と、前ウエスト域と、後ウエスト域と、前後ウエスト域間に位置するクロッチ域と、前記前後ウエスト域を形成する環状の弾性ウエストパネルと、前記弾性ウエストパネルに取り付けられた吸収性シャーシとを含む使い捨て着用物品に関わる。
【０００９】
本発明は、下記構成を有することを特徴とする。
前記吸収性シャーシは、吸収性コアと、前記吸収性コアの両側縁の横方向の外方において前記縦方向へ延びるサイドフラップとを含む。前記サイドフラップには、前記縦方向へ延びる複数条のレッグ弾性体が配設されている。前記レッグ弾性体は、前記サイドフラップに固定されている。前記サイドフラップにおける前記弾性ウエストパネルとの交差部には、前記弾性ウエストパネルに固定された固定部位と、前記固定部位の前記横方向の外方に位置する、前記弾性ウエストパネルに固定されていない自由部位とが形成されている。前記レッグ弾性体どうしの前記横方向における離間寸法と前記吸収性コアの側縁と前記レッグ弾性体のうちの最も内側に位置する弾性体との前記横方向における離間寸法とは、約３．０〜１０．０ｍｍの範囲内において互いに同じ大きさであって、前記サイドフラップの前記レッグ弾性体どうしの前記横方向における離間部位には、９〜２０個／５０ｍｍの横皺が形成される。
【００１０】
本発明の実施態様の一つにおいて、前記レッグ弾性体は、伸長倍率が約２．６〜３．５倍、太さが約４８０〜１０３０ｄｔｅｘの弾性糸から形成されている。
【００１１】
本発明の実施態様の一つにおいて、前記サイドフラップの前記横方向における長さ寸法は約１０．０〜３５．０ｍｍである。
【００１２】
本発明の実施態様の一つにおいて、前記レッグ弾性体どうしの前記横方向における離間部位は、前記サイドフラップの固定部位に位置する内方離間部位と、前記サイドフラップの自由部位に位置する外方離間部位とを含む。
【００１３】
本発明の実施態様の一つにおいて、前記前後ウエスト域において、前記横方向に収縮可能な伸縮域が形成されており、前記伸縮域には、前記横方向へ延びるストリング状又はストランド状の複数条のウエスト弾性体が配置されており、前記ウエスト弾性体の一部と前記レッグ弾性体とが交差している。
【００１４】
本発明の実施態様の一つにおいて、前記前後ウエスト域の前記伸縮域の中央部における前記吸収性コアと対向する位置には前後非伸縮域が形成されており、前記後非伸縮域の前記横方向における長さ寸法が前記前非伸縮域の前記横方向における長さ寸法よりも大きくなっている。
【００１５】
本発明の実施態様の一つにおいて、前記伸縮域のうちの前記サイドフラップの前記交差部と交差する領域の所定幅における伸長応力が、前記交差部の前記レッグ弾性体が配置された部位の所定幅における伸長応力よりも高くなっている。
【００１６】
本発明の実施態様の一つにおいて、前記レッグ弾性体は、前記レッグ弾性体の長さ方向において、約５．０ｍｍ以下の間隔を空けて前記サイドフラップに固定されている。
【００１７】
本発明の実施態様の一つにおいて、前記レッグ弾性体は、前記レッグ弾性体の長さ方向において連続的に前記サイドフラップに固定されている。
本発明の実施態様の一つにおいて、前記サイドフラップを形成する被覆シートの両側部の一部が、前記吸収性シャーシ上において内方へ折り返されて形成された、前記縦方向へ延びる一対のスリーブをさらに有し、前記スリーブには前記縦方向へ延びるカフ弾性体が配置されており、前記レッグ弾性体のうちの前記横方向において最も内側に位置する弾性体は、前記サイドフラップに位置する前記スリーブの固定部の真下にある。
【発明の効果】
【００１８】
本発明に係る着用物品によれば、サイドフラップにおける弾性ウエストパネルとの交差部には、レッグ弾性体が配設された、弾性ウエストパネルに固定された固定部位と弾性ウエストパネルに固定されていない自由部位とが形成されている。交差部に固定部位が形成されていることによって、弾性ウエストパネルが引き上げられたときにサイドフラップもそれに応動して引き上げられ、吸収性コアの側縁近傍が身体から離間してずれ下がることはない。また、交差部に自由部位が形成されていることによって、それと連続するレッグ開口縁部をレッグ弾性体の収縮によって形成された多数の横皺が形成された状態のまま着用者の肌に当接させることができ、体液の横漏れを確実に防止することができる。
【図面の簡単な説明】
【００１９】
【図１】本発明の第１実施形態に係る使い捨て着用物品の一例として示す、使い捨ておむつの斜視図。
【図２】おむつのサイドシーム部を剥離して前後方向に伸展した状態をその内面から見た一部破断展開平面図。
【図３】吸収性シャーシを除去した状態の平面図。
【図４】図２のＩＶ−ＩＶ線に沿う模式断面図。
【図５】図２のＶ−Ｖ線に沿う模式断面図。
【図６】図５のＶＩで囲んだ領域の拡大図。
【図７】図１のＶＩＩで囲んだ領域の拡大図。
【発明を実施するための形態】
【００２０】
図１及び２を参照すると、おむつ１０は、縦方向Ｙ及びそれに直交する横方向Ｘを有し、肌対向面及びそれに対向する非肌対向面と、ウエスト回り方向に延びる環状の弾性ウエストパネル１１と、弾性ウエストパネル１１の肌対向面側に取り付けされた吸収性シャーシ１２と、前ウエスト域１３と、後ウエスト域１４と、前後ウエスト域１３，１４間に位置するクロッチ域１５とを含む。
【００２１】
弾性ウエストパネル１１は、弾性ベルト機能を有し、前ウエスト域１３を形成する前ウエストパネル１６と、後ウエスト域１４を形成する後ウエストパネル１７とを含む。前ウエストパネル１６は、内端縁１６ａと、外端縁１６ｂと、内端縁１６ａと外端縁１６とをつなぐ両側縁１６ｃ，１６ｄとによって画定された横長方形状を有する。後ウエストパネル１７は、内端縁１７ａと、外端縁１７ｂと、内端縁１７ａと外端縁１７ｂの間に延びる両側縁１７ｃ，１７ｄとによって画定された、前ウエストパネル１６とほぼ同形状の横長方形である。対向する前ウエストパネル１６の両側縁１６ｃ，１６ｄと後ウエストパネル１７の両側縁１７ｃ，１７ｄどうしは、互いに重ね合わされ、縦方向Ｙへ間欠的に並ぶシーム部２０において公知の手段、例えば、熱エンボス加工、ソニックなどによる各種の熱溶着手段によって連結され、ウエスト開口２１及び一対のレッグ開口２２が画定される。
【００２２】
前後ウエストパネル１６，１７は、それぞれ、肌対向面側に位置する内層シート２３と、非肌対向面側に位置する外層シート２４と、内外層シート２３，２４間に介在する前後ウエスト弾性体２５，２６とを含む。
【００２３】
内外層シート２３，２４は、質量１５〜３０ｇ／ｍ２の不透液性のＳＭＳ（スパンボンド・メルトブローン・スパンボンド）繊維不織布、スパンボンド不織布若しくはエアスルー不織布、または、プラスチックシート、それらのラミネートシートなどを用いることができる。両シート２３，２４は、少なくとも一方の内面に塗布されたホットメルト接着剤又は前記熱溶着手段によって接合される。
【００２４】
図２に示すとおり、前ウエストパネル１６の内外層シート２３，２４の間には、ストリング状又はストランド状の複数条の前ウエスト弾性体２５が横方向Ｘへ収縮可能に配設されている。よって、前ウエストパネル１６は少なくとも横方向Ｘへ弾性化されている。
【００２５】
前ウエスト弾性体２５は、外端縁１６ｂに沿って横方向Ｘへ互いに延びる複数条の第１弾性体３１と、第１弾性体３１の下方に位置してこれと並行に延びる複数条の第２弾性体３２と、第２弾性体３２の下方に位置してこれと並行に延びる第３弾性体３３と、第３弾性体３３の下方に位置し、内端縁１６ａに沿って第３弾性体３３と並行して横方向Ｘへ延びる第４弾性要３４とを有する。第１弾性体３１は、前ウエストバンドを形成している。また、第４弾性体３４は、後記のレッグ弾性体６２と交差している。
【００２６】
具体的には、第１弾性体３１は、太さ約４００〜１２００ｄｔｅｘ、伸長倍率が２．０〜２．６倍の弾性材料、第２弾性体３２は、太さ３５０〜１２００ｄｔｅｘ、伸長倍率が１．８〜２．６倍の弾性材料、第３及び第４弾性体３３，３４は、太さ３００〜９５０ｄｔｅｘ、伸長倍率が２．６〜３．６倍の弾性材料を用いることができる。
【００２７】
後ウエストパネル１７の内外層シート２３，２４間には、ストリング状又はストラン状の複数条の後ウエスト弾性体２６が横方向Ｘへ伸縮可能に配設されている。後ウエスト弾性体２６が配設されていることによって、後ウエストパネル１７は、少なくとも横方向Ｘへ弾性化されている。
【００２８】
後ウエスト弾性体２６は、外端縁１６ｂに沿って横方向Ｘへ延びる互いに複数条の第５弾性体３５と、第５弾性体３５の下方に位置してそれと並行に横方向Ｘへ延びる複数条の第６弾性体３６と、第６弾性体３６の下方に位置してそれと並行して横方向へ延びる複数条の第７弾性体３７と、第７弾性体３７の下方に位置し、内端縁１６ａに沿って第７弾性体３７と並行して横方向Ｘへ延びる複数条の第８弾性体３８とから構成されている。第５弾性体３５は、後ウエストバンドを形成している。また、第８弾性体３８は、後記のレッグ弾性体６２と交差している。
【００２９】
具体的には、第５弾性体３５は、太さ約３５０〜１２００ｄｔｅｘ、伸長倍率約１．８〜２．６倍の弾性材料、第６弾性体３６は、太さ約３００〜９００ｄｔｅｘ、伸長倍率約２．６〜３．６倍の弾性材料、第７弾及び第８性要素３７，３８は、太さ約４４０〜５００ｄｔｅｘ、伸長倍率約３．２〜３．６倍の弾性材料から形成されている。
【００３０】
図３を参照すると、前ウエスト域１３において、第１弾性体３１と第２弾性体３２が配設された領域において前上方ウエスト伸縮域４０Ａが形成されており、また、第３及び第４弾性体３３，３４が配設された領域において、一対の前下方ウエスト伸縮域４０Ｂが形成されている。後ウエスト域１４においては、第５弾性体３５と第６弾性体３６とが配設された領域において後上方ウエスト伸縮域４１Ａが形成されており、第７弾性体３７と第８弾性体３８とが配設された領域において、一対の後下方ウエスト伸縮域４１Ｂが形成されている。
【００３１】
また、前ウエスト域１３では、前下方ウエスト伸縮域４０Ｂ間において、伸長状態にある第３及び第４弾性体３３，３４の中央部が切断または除去されることによって、収縮性を有する第３及び第４弾性体３３，３４が存在してない前非伸縮域４２が画定されている。また、後ウエスト域１４では、後下方ウエスト伸縮域４１Ｂ間において、伸長状態にある第７及び第８弾性体３７，３８の一部が切断または除去されることによって、収縮性を有する弾性体が存在していない後非伸縮域４３が画定されている。ちなみに、前非伸縮域４２は、伸長状態にある第３及び第４弾性体３３，３４の中央部を切断することにより、スナップバックをさせることで画定することができる。また、同様に、後非伸縮域４３は、伸長状態にある第７及び第８弾性体３７，３８をそれらの中央部において切断することにより画定することができる。
【００３２】
このように、前後ウエスト域１３，１４において前後非伸縮域４２，４３が形成されていることによって、該域４２，４３と対向する吸収性シャーシ１２の略中央部に弾性体による収縮力が作用されることはない。したがって、該中央部において、吸収性シャーシ１２の内部に位置する吸収性コア４５は、それら弾性体の収縮力による皺や変形によってその吸液性能が阻害されることはなく、吸安定的に着用者の身体に対して当接させることができる。
【００３３】
前非伸縮域４２の縦方向Ｙにおける長さ寸法と後非伸縮域４３の縦方向Ｙにおける長さ寸法とはほぼ同じ大きさである。しかし、前非伸縮域４２の横方向Ｘの長さ寸法Ｗ１は約５５〜９０ｍｍ、後非伸縮域４３の横方向Ｘにおける長さ寸法Ｗ２は、約８０〜１１５ｍｍであって、後者の方が前者よりも大きくなっている。
【００３４】
図２，５を参照すると、吸収性シャーシ１２は、前後端縁１２ｅ，１２ｆと両側縁１２ｇ，１２ｈとによって画定された縦長方形状であって、前ウエストパネル１６の内面に取り付けられた前端部１２Ａと、後ウエストパネル１７の内面に取り付けられた後端部１２Ｂと、前後端部１２ａ，１２ｂ間において縦方向Ｙへ延びる中間部１２Ｃとを有する。
【００３５】
図３を参照すると、弾性ウエストパネル１１と吸収性シャーシ１２の前後部１２Ａ，１２Ｂとは、それらの対向面に形成された前後接合域５０，５１を介して固定されている。前後接合域５０，５１は、ホットメルト接着剤を塗布して形成された、縦方向Ｙへ延びる複数条の接着ライン５２を有する。接着ライン５２の横方向Ｘにおける長さ寸法（幅寸法）は、約３．０〜１０．０ｍｍであって、その横方向Ｘの両側に位置する最外接着ライン５２ａ，５２ｂは、吸収性シャーシ１２の一部を構成する後記の吸収性コア４５の両側縁近傍に位置している。ただし、前後接合域５０，５１は、複数のライン状のほかに、Ω状、スパイラル状、波状などの公知の各種パターンを有するものであってもよい。
【００３６】
吸収性シャーシ１２は、肌対向面側に位置する透液性の内面シート５３と、非肌対向面側に位置する疎水性の被覆シート５４と、内面シート５３と被覆シート５４との間に介在する吸収性コア４５とを含む。吸収性コア４５は、その縦方向Ｙの中央部が内方へ凹となるパネル形状であって、全体が液拡散性のティッシュ等（図示せず）によって被包されている。吸収性コア４５の下面と被覆シート５４との間には、不透液性のプラスチックフィルムから形成された防漏シート５７が配置されている。
【００３７】
吸収性コア４５は、フラッフパルプと、超吸収性ポリマー粒子（ＳＡＰ）と、オプションとして熱溶着性ステープル繊維との混合から形成されている。本実施形態では、後記のように、着用中にサイドフラップ６１が折れ曲がったり変形したりせずに着用者の身体に安定的に当接することから、吸収性コア４５が比較的に薄い場合であっても、吸収性コア４５自体も折れ曲がったり変形したりすることはなく、フラッフパルプの質量を通常よりも低くすることができる。かかる場合には、具体的には、フラッフパルプの質量を約１５０〜２５０ｇ／ｍ２とすることができる。
【００３８】
被覆シート５４は、質量１０〜３０ｇ／ｍ２の疎水性のＳＭＳ（スパンボンド・メルトブローン・スアパンボンド）繊維不織布若しくは、質量約１５〜３０ｇ／ｍ２のスパンボンド不織布、または、プラスチックシート、それらのラミネートシートなどを用いることができる。
【００３９】
被覆シート５４は、吸収性コア４５の周縁から外方へ延出しており、その延出した部分によって、吸収性コア４５の両端縁の縦方向Ｙの外方において横方向Ｘへ延びるエンドフラップ６０と、吸収性コア４５の両側縁の横方向Ｘの外方において縦方向Ｙへ延びるサイドフラップ６１とが形成されている。サイドフラップ６１には、縦方向Ｙへ延びるストリング状又はストランド状の複数条のレッグ弾性体６２が縦方向Ｙへ収縮可能に固定されている。したがって、サイドフラップ６１とレッグ弾性体６２とは、着用者のレッグ回りに密接するガスケットカフ機能を有する。
【００４０】
レッグ弾性体６２は、吸収性コア４５の両側縁側に位置する内側レッグ弾性体６２ａと、サイドフラップ６１の側縁側に位置する外側レッグ弾性体６２ｂと、それらの間に位置する中央レッグ弾性体６２ｃとを有する。
【００４１】
サイドフラップ６１を形成する被覆シート５４の両側部は、吸収性シャーシ１２上において、その一部が内方へ向かって折り返されており、縦方向Ｙへ延びる一対のスリーブ６４が形成されている。スリーブ６４内には、縦方向Ｙへ延びるストリング状又はストランド状の複数条のカフ弾性体６５がホットメルト接着剤を介して縦方向Ｙへ収縮可能に固定されている。スリーブ６４は、ホットメルト接着剤を塗布してなる固定部６６を介して防漏シート５７の肌対向面に固定され、カフ弾性体６５とともに、防漏カフを形成している。
【００４２】
レッグ弾性体６２及びカフ弾性体６５には、太さ約３００〜９５０ｄｔｅｘ、伸長倍率が２．２〜３．２倍の天然ゴムまたは合成ゴムから作られた弾性材料を好適に用いることができる。なお、本実施形態では、レッグ弾性体６２が３本、カフ弾性体６５が２本の弾性材料から形成されているが、それよりも複数本の弾性材料から形成されていてもよい。ここで、伸長倍率とは、弾性材料の非伸長状態を１．０倍とするものであって、例えば、非伸長状態において１００ｍｍの弾性材料が２００ｍｍに伸長された場合には、伸長倍率は２．０倍となる。
【００４３】
レッグ弾性体６２は、その長さ方向に連続して又は間欠的に塗布されたホットメルト接着剤を介して被覆シート５４と防漏シート５７との間に固定されている。ただし、本願発明の後記の効果を奏する限りにおいて、被覆シート５４と防漏シート５７との対向面のうちの少なくとも一方にレッグ弾性体６２の長さ方向に連続して又は間欠的に塗布されたホットメルト接着剤を介して固定されていてもよい。レッグ弾性体６２にホットメルト接着剤を間欠的に直接塗布する場合および両シート５４，５７にホットメルト接着剤を間欠的に塗布して固定した場合において、各接合部位どうしの離間寸法は約５．０ｍｍ以下であることが好ましい。その場合には、より多くの後記の横皺６８を形成することができ、具体的には、サイドフラップ６１の縦方向Ｙにおける長さ寸法５０ｍｍ当たりにおいて、９個以上の横皺６８が形成される。また、所要数の横皺６８をより確実に形成するためには、レッグ弾性体６２にホットメルト接着剤をレッグ弾性体６２の長さ方向に連続的に塗布することが好ましい。なお、ホットメルト接着剤の塗布方法としては、従来公知のものを使用することができ、例えば、間欠的に塗布する場合には、スパイラルスプレーなどの各種スプレー塗布方法を用いることができ、連続的に塗布する場合には、弾性部材をホットメルト接着剤を溶出するノズルに通過させることによって、そのほぼ全周縁にホットメルト接着剤を塗布することができる。
【００４４】
図６及び７を参照すると、サイドフラップ６１の横方向Ｘにおける長さ寸法（幅寸法）、すなわち、吸収性コア４５の側縁４５ｃとサイドフラップ６１の外側縁（吸収性シャーシ１２の外側縁１２ｇ）との横方向Ｘにおける離間寸法Ｗ３は、約１０．０〜３５．０ｍｍ、より好ましくは約１２．０〜３０．０ｍｍである。また、外側レッグ弾性体６２ｂと中央レッグ弾性体６２ｃとの間に位置する外方離間部位６９の横方向Ｘにおける長さ寸法（離間寸法）Ｒ１は、約３．０〜１０．０ｍｍ、より好ましくは、４．０〜８．０ｍｍであって、吸収性コア４５の側縁４５ｃと内側レッグ弾性体６２ａとの間に位置する離間部位７０の横方向Ｘにおける長さ寸法（離間寸法）Ｒ２は約３．０〜１０．０ｍｍである。また、内側レッグ弾性体６２ａと中央レッグ弾性体６２ｃとの間に位置する内方離間部位７１の横方向Ｘにおける長さ寸法（離間寸法）Ｒ３は約３．０〜１０．０ｍｍ、より好ましくは、４．０〜８．０ｍｍである。このように、比較的に狭い離間寸法でサイドフラップ６１に複数条のレッグ弾性体６２が配設されていることによって、図７に示すとおり、サイドフラップ６１には横方向Ｘへ延びる複数の横皺６８が形成される。ここで、レッグ弾性体６２間の内外方離間寸法Ｒ１，Ｒ３とは、弾性体の中心部間の距離を意味する。
【００４５】
なお、本実施形態において、外側レッグ弾性体６２ｂとサイドフラップ６１の外側縁とは横方向Ｘにおいて離間していないが、後記の本願発明の効果を奏する限りにおいて、離間していてもよい。ただし、その場合には、離間寸法が４．０ｍｍ以下であることが好ましい。かかる離間寸法が４．０ｍｍ以上の場合には、外側サイドレッグ弾性体６２ｃとサイドフラップ６１の外側縁との間に横皺６８が形成されず、サイドフラップ６１全体に横皺６８を形成することによって剛性を持たせ、よれ曲がりや変形を抑制するという効果を奏することができないからである。
【００４６】
図６に示すとおり、内側レッグ弾性体６２ａは、スリーブ６４を形成する固定部６６のほぼ真下に位置している。このように、内側レッグ弾性体６２ａがスリーブ６４の固定部６６のほぼ真下に位置していることによって、その収縮作用によってバリアカフの起立状態を補助し、着用中にバリアカフが着用者の身体から離間するように内外側に倒伏するのを防止することができる。
【００４７】
吸収性シャーシ１２の前端部１２Ａと前ウエストパネル１６とを接合する前接合域５０において、最外接着ライン５２ａは内方から内側レッグ弾性体６２ａを通過して、中央レッグ弾性体６２ｃまで延びている。したがって、サイドフラップ６１の交差部７４のレッグ弾性体６２の存在領域には、前接合域５０を介して前ウエストパネル１６に固定された固定部位７５とその横方向Ｘの外側に延びる自由部位７６とが形成されている。
【００４８】
図７は、図１のＶＩＩで囲んだ領域の拡大図である。なお、以下は、おむつ１０の前ウエスト域１３側のみに関する説明であるが、同様の構成を有する後ウエスト域１４側においても同様であると理解されたい。
【００４９】
図７に示すとおり、サイドフラップ６１には、レッグ弾性用要素６２が収縮することによって横方向Ｘへ延びる複数の横皺６８が形成されている。固定部位７５と自由部位７６との一部において、レッグ弾性体６２と第４弾性体３４とが交差しており、固定部位７５と自由部位７６との縦方向Ｙにおける長さ寸法Ｌ１は、約１５．０〜４０．０ｍｍである。前記のようにサイドフラップ６１においては、比較的に小さい離間寸法で複数条の弾性体が配設されているので、比較的に多くの横皺６８が形成されており、具体的には、約１０〜２５個／５０ｍｍの比較的に細かい横皺６８が形成されている。
【００５０】
このように、サイドフラップ６１には、比較的に多数の細かい横皺６８が形成され、かつ、前ウエストパネル１６と吸収性シャーシ１２との交差部７４には、自由部位７６が形成されていることによって、サイドフラップ６２のクロッチ域１５の前側に位置する、前クロッチ縁部７７が着用者の股下に挟まれてその横漏れ防止機能が阻害されるおそれはない。すなわち、該部分７７は、通常、着用者の鼠径部と対向して位置するところ、サイドフラップ６１の剛性が低い場合には、着用者の大腿部の動きによって不規則に折れ曲がったり、股間に一部が挟み込まれたりしてガスケットカフとしての機能を十分に果たすことができない。
【００５１】
しかし、本実施形態の場合には、サイドフラップ６１の該部分７７に外方離間部位６９が位置して複数の比較的に細かい横皺６８が形成されていることによって剛性が高くなっていることから、一部が丸まったり着用者の股間に挟み込まれたりすることはなく、その全面を着用者の身体に密着させることができる。また、交差部７４では内方離間部位７１の位置する固定部位７５においてサイドフラップ６２が安定的に前ウエストパネル１６に固定され、前ウエストパネル１６が横方向Ｘへ伸長されたときにそれに連動して横方向Ｘに引っ張られる。一方、自由部位７６は、弾性ウエストパネル１１の動きに干渉されることなく、前クロッチ縁部７７において横皺６８が形成されたままの形状を維持して着用者の身体に当接する。
【００５２】
横皺６８は、レッグ弾性体６２間の離間寸法とほぼ同じ寸法を有する吸収性コア４５と内側レッグ弾性体６２ａとの離間部位７０にも形成されるので、該離間部位７０は比較的に剛性が高くなり、吸収性コア４５もサイドフラップ６１と同様に着用者の股間に挟まれて折曲されたり変形されたりするおそれはない。
【００５３】
このように、サイドフラップ６１が縦方向Ｙへ折り曲げられず、横方向Ｘに広がった状態で着用者の身体に当接させることができるので、サイドフラップ６２の自由部位７６は着用者の腰骨近傍に対向して密接する。したがって、着用中に前後ウエスト域１３，１４を引き上げることによって、サイドフラップ６１と吸収性コア４５とがそれに連動して引き上げられるので、吸収性コア４５のずり下がりによる体液の漏れなどを抑制することができる。
【００５４】
また、前記のとおり、後ウエスト域１４の後非伸縮域４３の横方向Ｘにおける長さ寸法Ｗ２が前ウエスト域１３の前非伸縮域４２の横方向Ｘの長さ寸法Ｗ１よりも大きいことから、後ウエスト域１４ではサイドフラップ６１が前ウエスト域１３よりも横方向Ｘの外側に位置する。サイドフラップ６１の横皺６８による剛性の向上とウエスト弾性体２５，２６とレッグ弾性体６２との交差による作用によって、サイドフラップ６１を前ウエスト域１３において比較的幅狭の着用者の鼠径部に密着させ、後ウエスト域１４において比較的に幅狭の臀部に密着させることができる。また、吸収性シャーシ１２の構成自体を変更することなく、すなわち、前後ウエスト域１３，１４において吸収性シャーシ１２の幅寸法等を変えることなく、前後非伸縮域４２，４３を設けることによって、着用時においてサイドフラップ６１の着用者の肌と密着する部位の面積を前後ウエスト域１３，１４において変えることができるので、通常のおむつの製造ラインで製造することができ、吸収性シャーシ１２の構成自体を変更する場合に比して製造工程が簡易であるといえる。
【００５５】
＜横皺６８の測定方法＞ 
まず、おむつ１０をその両側縁部のシーム部２０を切り離して展開した状態にして、サイドフラップ６１に皺が寄らない程度に吸収性シャーシ１２を縦方向Ｙに引っ張ってレッグ弾性体６２を伸長させる。次に、前クロッチ縁部７７のうちの前ウエスト域１３の下端縁１６ａから下方へ５０ｍｍの位置に点状の印を付けて、前ウエスト域の１３の下端縁１６ａから印のされた点のまでの範囲を測定領域とし、該測定領域のうちの内外方離間部位６９，７１ぞれぞれの中央部に縦方向Ｙへ直状に延びる赤色のラインを引く。
【００５６】
かかる状態の吸収性シャーシ１２を常温（室温約１８〜２２℃，相対湿度５５〜６５％）にて２４時間放置した後、吸収性シャーシ１２を縦方向Ｙに引っ張られた状態から解放してレッグ弾性体６２を収縮させる。そのままの状態でしばらく放置した後、測定領域の赤色のライン上に形成された横方向Ｘに延びる皺の数を数える。複数のおむつ１０（ｎ＝１０）について同様の測定をして、その測定から得られた皺の数の平均を横皺６８の数とする。ここで、本測定における「皺」とは、内外方離間部位６９，７１における２つの凹状部位間に位置する１つの凸状部位であって、その横方向Ｘにおける幅寸法が０．５ｍｍ以上のものを意味する。
【００５７】
また、交差部７４において、前ウエストパネル１６の第３及び第４弾性体３３，３４の配設された下方前伸縮域４０Ｂの所定幅における伸長応力は、サイドフラップ６１のレッグ弾性体６２が配設された伸縮域の所定幅における伸長応力よりも高いことが好ましい。この場合には、排泄後において、排泄物の自己質量によって吸収性シャーシ１２に下方へ向かう力が作用したとしても、前ウエスト域１３の伸縮力によってサイドフラップ６１の下方への移動、変形を抑えることができ、吸収性コア４５は外形状を維持することができる。
【００５８】
具体的には、下方前伸縮域４０Ｂの伸長率７５％での伸長応力は、０．７２Ｎ／１０ｍｍであり、サイドフラップ６１のレッグ弾性体６２が配設された伸縮域の伸長率７５％での伸長応力は、０．５２Ｎ／１０ｍｍである。
【００５９】
＜各領域の伸長応力の測定方法＞
下方前伸縮域４０Ｂの所定幅における伸長応力とサイドフラップ６１のレッグ弾性体６２が配設された伸縮域の所定幅における伸長応力とは、引張試験機（島津製作所株式会社製オートグラフ試験機、品番：ＡＧ−Ｘ１０plus）を用いて下記の方法によって測定する。
【００６０】
まず、おむつ１０から弾性ウエストパネル１１を切り取り、切り取った弾性ウエストパネル１１を胴回り方向に伸長させた状態にして第３及び第４弾性体３３，３４を伸長させ、おむつ１０から伸長状態にある下方前伸縮域４０Ｂを約１０．０ｍｍ幅（横方向Ｘの幅寸法）に切り取って試料１（前ウエストパネル１６の一部と吸収性シャーシ１２の一部とを含む。）とし、その横方向Ｘにおける長さを最大伸長時（１００％）の長さとする。次に、弾性ウエストパネル１１を切り取ったおむつ１０とは別のおむつ１０から吸収性シャーシ１２を取り外し、かつ、取り外した吸収性シャーシ１２のサイドフラップ６１からスリーブ６４（カフ弾性体６５を含む）を取り除いた後、サイドフラップ６１を縦方向Ｙに皺が寄らない程度に伸長させ、約１０．０ｍｍ幅（縦方向Ｙの幅寸法）に切り取って試料２とし、その長さを最大伸長時（１００％）の長さとする。次に、採取した試料１，２をそれぞれ引張試験機のチャックに装填し、移動速度１００ｍｍ／ｍｉｎ，反転距離を試料１，２の最大伸長時の８５％の長さにした１サイクル試験を行い、試料１，２それぞれの最大伸長時の７５％の長さになる点の反転後の応力を測定して求める。かかる測定を複数のおむつ１０を用いて少なくとも１０回行い、平均した値をそれぞれの伸長応力（Ｎ／ｍｍ）とする。なお、おむつ１０全体の大きさから、試料１，２について１０．０ｍｍ幅での採取が困難な場合には、任意の幅で測定をして、１０．０ｍｍ幅に換算して伸長応力を求める。
【００６１】
また、吸収性コア４５の中央部と対向する位置に、前ウエストパネル１６の前非伸縮域４０が形成されていることによって、吸収性コア４５はその厚さが比較的に薄い場合であっても変形せず安定的に着用者の身体に当接させることができる。したがって、例えば、吸収性コア４５を形成するフラッフパルプの総量を少なくすることができ、それによりおむつ１０全体が柔軟性に優れ、また、原材料を減らすことによってコストを抑えることができる。
【００６２】
＜サイドフラップの収縮率の測定＞
下記の表１は、本発明の実施例と比較例１及び２とのサイドフラップ６１の収縮率を比較したものである。なお、実施例及び比較例１，２に使用したおむつの構造、その構成材料は、表１及び下記に記載のものを除いてすべて同一のものである。なお、以下の本測定に関する記述に関し、幅寸法とは横方向Ｘにおける長さ寸法を意味する。
【００６３】
【表１】
0005999878.tif 000002
【００６４】
＜実施例＞
表１に記載のとおり、実施例では、伸長倍率２．７倍、太さ約７８０ｄｔｅｘ、の３本のレッグ弾性体６２をサイドフラップ６１に配設したものであって、レッグ弾性体６２をスリット状に塗布したホットメルト接着剤を介してシート部材に固定する。サイドフラップ６１の幅寸法Ｗ３は約１５．０ｍｍ、吸収性コア４５の側縁４５ｃと内側レッグ弾性体６２ａとの離間部位７０の幅寸法Ｒ２は約５．０ｍｍ、内外方離間部位６９，７１の幅寸法Ｒ１，Ｒ３は約５．０ｍｍである。
＜比較例１＞
比較例１では、伸長倍率２．７倍、太さ約４７０ｄｔｅｘの３本のレッグ弾性体６２をサイドフラップ６１に配設したものであって、レッグ弾性体６２をスリット状に塗布したホットメルト接着剤を介してシート部材に固定する。各寸法Ｗ３，Ｒ１，Ｒ２，Ｒ３は、それぞれ、２７．５ｍｍ，６．０ｍｍ，８．５ｍｍ，１３．０ｍｍである。
＜比較例２＞
比較例２では、伸長倍率２．５倍、太さ約６２０ｄｔｅｘの３本のレッグ弾性体６２をサイドフラップ６１に配設したものであって、レッグ弾性体６２をスリット状に塗布したホットメルト接着剤を介してシート部材に固定する。Ｗ３，Ｒ１，Ｒ２，Ｒ３の各寸法は、それぞれ、２７．５ｍｍ，７．０ｍｍ，１０．５ｍｍ，１０．０ｍｍである。
【００６５】
上記の条件において、実施例、比較例１及び２のおむつを１０名（男女５名づつ）に着用させ、着用して１０分経過後のサイドフラップ６１の幅寸法を測定した。測定した着用前のサイドフラップ６１の幅寸法Ｗ３（ｍｍ）を用い、装着前のサイドフラップ６１の幅寸法Ｗ３（ｍｍ）÷装着後のサイドフラップ６１の幅寸法Ｗ３（ｍｍ）を求め、各おむつについて求めた値を平均してサイドフラップ６１の収縮率（％）とした。
【００６６】
表１に記載のとおり、実施例においては、外方離間部位６９と内方離間部位７１との両方に横皺６８がそれぞれ１３個ずつ形成されている。このように、内外離間部位６９，７１において複数の細かい皺が均等に形成されているので、サイドフラップ６１の前クロッチ縁部７７は全体として面状を有し、サイドフラップ６１の収縮率は１３％であった。一方、比較例１では、外方離間部位６９に９個、内方離間部位７１に６個の横皺が形成され、サイドフラップ６１の収縮率は５２％、比較例２では、外方離間部位６９と内方離間部位７１とにそれぞれ７個の横皺６８が形成され、サイドフラップ６１の収縮率は約３９％であった。このように、比較例１及び２では、サイドフラップ６１の収縮率が実施例のそれに比べて高く、面状を保つことができないので、おむつ１０の着用状態において着用者の股間に挟まれて折曲したり変形したりするおそれがある。
【００６７】
比較例１及び２において、サイドフラップ６１の収縮率が実施例に比べて高くなった理由としては、比較例１では、目視でも明らかなように、レッグ弾性体６２の太さが約４７０ｄｔｅｘであって、比較的に幅広の内方離間部位７１に横皺６８が６個のみ形成され、比較的に大きな凸状部位となるので、外方離間部位６９に比べて剛性が低くなり収縮しやすく面状を保つことができず、また、比較例２では、レッグ弾性体６２の伸長倍率が２．５倍であって、実施例及び比較例１に比べて低く、内外方離間部位６９，７１に比較的に少ない数の横皺６８が形成されたことが考えられる。
【００６８】
これらの測定結果及び比較検討から、サイドフラップ６１に複数の細かい横皺６８を形成することによって比較的に剛性が高くなり、一部が丸まったり着用者の股間に挟みこまれたりすることなく、面状に着用者の身体に密着させることができるという本願発明の効果を奏するためには、レッグ弾性体６２は、伸長倍率が約２．６〜３．５倍、太さが約４８０〜１０３０ｄｔｅｘであって、レッグ弾性体６２どうしの離間部位Ｒ１，Ｒ３には、９〜２０個／５０ｍｍの横皺６８が形成されていることが好ましいといえる。
【００６９】
おむつ１０を構成する各構成部材には、本明細書に記載されている材料のほかに、この種の物品において通常用いられている各種の公知の材料を制限なく用いることができる、また、本発明の明細書及び特許請求の範囲において、「第１」および「第２」の用語は、同様の要素、位置などを単に区別するために用いられている。
【符号の説明】
【００７０】
１０  使い捨ておむつ（使い捨て着用物品）
１１  弾性ウエストパネル
１２  吸収性シャーシ
１３  前ウエスト域
１４  後ウエスト域
１５  クロッチ域
２５  前ウエスト弾性体
２６  後ウエスト弾性体
４２  前非伸縮域
４３  後非伸縮域
６１  サイドフラップ
６２  レッグ弾性体
６２ａ  内側レッグ弾性体
６８  横皺
６９  外側レッグ弾性体と中央レッグ弾性体との離間部位（外方離間部位）
７０  内側レッグ弾性体と吸収性コアの側縁との離間部位
７１  内側レッグ弾性体と中央レッグ弾性体との離間部位（内方離間部位）
７４  交差部
７５  サイドフラップの交差部の固定部位
７６  サイドフラップの交差部の自由部位
Ｒ１  外方離間部位の離間寸法
Ｒ２  内側レッグ弾性体と吸収性コアの側縁との横方向における離間寸法
Ｒ３  内方離間部位の離間寸法
Ｗ３  サイドフラップの横方向における長さ寸法
Ｗ１  前非伸縮域の横方向における長さ寸法
Ｗ２  後非伸縮域の横方向における長さ寸法
Ｘ  横方向
Ｙ  縦方向
【図１】
0005999878.tif 000003
【図２】
0005999878.tif 000004
【図３】
0005999878.tif 000005
【図４】
0005999878.tif 000006
【図５】
0005999878.tif 000007
【図６】
0005999878.tif 000008
【図７】
0005999878.tif 000009